(57)【要約】【課題】  多数の一般ユーザを対象としたＰ２Ｐ型の映像配信において、エンドユーザの不正利用の可能性をなくし、ファイヤーウォールの内側、外側に関わらず安全、かつ効率の良い映像配信の提供を可能にする。【解決手段】  ピア２nにおいて、ユーザが映像情報をＰ２Ｐ放送ＴＶ装置５に入力すると、映像情報は、意味情報スイッチ６にフィルタとして設定される。映像の発信イベント信号がピア２1から発せられると、イベント信号が意味情報スイッチ６に送信される。イベント信号が意味情報ネットワークを介してピア２nに到着すると、意味情報スイッチ６よりＰ２Ｐ放送ＴＶ装置５に送信され、放送要求センドバック信号が意味情報スイッチ６に送信され、ピア２1に到着する。Ｐ２Ｐ放送装置４は保存している映像ファイルを放送ランデブー装置１に送信し、送信が正常終了すると、放送開始信号をピア２1に送信し、放送開始を通知する。【選択図】  図１
2005151229.tif 000002
【特許請求の範囲】
【請求項１】
複数の放送ランデブー装置とネットワークを介して接続されて映像流通ネットワークシステムを構成し、かつ意味情報スイッチにより意味情報ネットワークを構成している端末であって、
Ｐ２Ｐ放送装置とＰ２Ｐ放送ＴＶ装置を含み、
前記Ｐ２Ｐ放送装置は、
ユーザから視聴映像条件である映像情報と映像ファイルを含む映像情報設定登録信号が入力される入出力手段と、
前記入出力手段から前記映像ファイルを受け取り格納し、映像ファイル名を含む映像ファイル収集信号を受け取ると、該映像ファイル名で指定された格納している映像ファイルを含む映像ファイル登録信号を出力する映像ファイル格納手段と、
映像情報とイベントＩＤを含む映像情報格納信号を受信すると、該映像情報と該イベントＩＤを格納し、イベントＩＤを含む映像情報収集信号を受け取ると、イベントＩＤで指定された映像情報とを含む映像情報収集応答信号を出力する映像情報格納手段と、
前記映像ファイル格納手段から映像ファイル登録信号を受け取ると、固定的、もしくは、なんらかのロジックで放送ランデブー装置を選択し、選択した放送ランデブー装置に映像ファイルを含む映像ファイル登録信号を送り、放送ランデブー装置に映像ファイルの登録を正常に完了したことをもって映像ファイル名と放送ランデブー装置ＵＲＬを含む登録終了信号を出力する放送ランデブー登録手段と、
前記入出力手段から前記映像情報を含む映像情報信号を受けて、意味情報スイッチに該映像情報とイベントＩＤを含むイベント信号を送信し、前記映像情報格納手段に映像情報とイベントＩＤを含む映像情報格納信号を送信し、前記意味情報スイッチから受信した、映像情報とイベントＩＤを含む放送要求センドバック信号を受け、前記映像情報格納手段にイベントＩＤを含む映像情報収集信号を送り、前記映像情報格納手段から返される映像情報とイベントＩＤを含む映像情報収集応答を受け取り、前記映像ファイル格納手段に映像ファイル名を含む映像ファイル収集信号を送り、前記放送ランデブー登録手段から映像ファイル名と放送ランデブー装置ＵＲＬを含む登録終了信号を受けて前記意味情報スイッチにイベントＩＤと映像情報と放送ランデブー装置ＵＲＬを含む放送開始センドバック信号を意味情報ネットワークのセンドバック機構を用いて返送するイベント受信制御手段とを有し、
前記Ｐ２Ｐ放送ＴＶ装置は、
映像情報を視聴映像条件として設定されると、該映像情報を含む映像情報信号を出力する入出力手段と、
前記入出力手段から映像情報信号を受信すると、映像情報からなるフィルタ設定信号を意味情報スイッチに送信し、該意味情報スイッチからフィルタ番号とイベントＩＤと映像情報を含むイベント通知信号を受け取り、前記意味情報スイッチに該イベントＩＤと該映像情報を含む放送要求センドバック信号を意味情報ネットワークのセンドバック機構を用いて返送し、前記意味情報スイッチからイベントＩＤと映像情報と放送ランデブー装置ＵＲＬを含む放送開始センドバック信号を受け取ると、該映像情報と該放送ランデブー装置ＵＲＬを含む受信開始通知信号を出力するイベント送信制御手段と、
前記イベント送信制御手段から受信開始通知信号を受け取り、放送ランデブー装置ＵＲＬと映像ファイル名を含む受信開始指示信号を出力する映像受信制御手段と、
前記映像受信制御手段から受信開始指示信号を受け取ると、前記放送ランデブー装置にストリームリクエストを発し、該放送ランデブー装置からストリーム送信を受け取る一般の映像ストリームプレーヤーとを有する端末。
【請求項２】
複数の端末と複数のランデブー装置がネットワークを介して互いに接続され、各端末は意味情報スイッチにより意味情報ネットワークを構成しており、各端末がＰ２Ｐ放送装置とＰ２Ｐ放送ＴＶ装置を含む映像流通ネットワークシステムにおいて、
映像情報が視聴映像条件として第１の端末のＰ２Ｐ放送ＴＶ装置に入力されると、該映像情報をフィルタ設定信号により意味情報スイッチに意味情報ネットワークのフィルタとして設定する段階と、
前記意味情報スイッチに設定された映像情報と合致する映像情報と映像ファイルが第２の端末のＰ２Ｐ放送装置に入力されると、該映像ファイルを映像ファイル格納部に格納し、該映像情報とイベントＩＤを含むイベント信号を意味情報スイッチに送信するとともに、該映像情報とイベントＩＤの対を映像情報格納部へ格納する段階と、
第１の端末のＰ２Ｐ放送ＴＶ装置が、前記イベント信号を受信した第１の端末の意味情報スイッチより、映像情報、フィルタ番号と、イベントＩＤを含むイベント通知信号を受信すると、該イベントＩＤと該映像情報を含む放送要求センドバック信号を該意味情報スイッチに送信する段階と、
第２の端末のＰ２Ｐ放送装置が、第２の端末の意味情報スイッチより前記放送要求センドバック信号を通知されると、そのイベントＩＤをキーに要望された映像の映像情報を前記映像情報格納部から取得し、取得した映像情報中の映像ファイル名を元に前記映像ファイル格納部から映像ファイルを放送ランデブー装置に送信し、送信が正常に完了すると、意味情報スイッチにイベントＩＤと映像情報と放送ランデブー装置ＵＲＬを含む放送開始センドバック信号を設定する段階と、
第１の端末のＰ２Ｐ放送ＴＶ装置が前記放送開始センドバック信号を第１の端末の意味情報スイッチより受信すると、受信した映像情報にある映像ファイル名と放送ランデブー装置ＵＲＬを映像ストリームプレーヤーに通知し、放送ランデブー装置からのストリーム配信を受信視聴する段階を有する映像流通方法。
【発明の詳細な説明】
【技術分野】
【０００１】
本発明は、多数の一般ユーザを対象としたＰ２Ｐ型の映像配信システムに関する。
【背景技術】
【０００２】
Ｐ２Ｐ型映像配信はあるが、端末どうしがダイレクトにつながり発信端末がストリームサーバ機能を持つものであり、ＦＷ（ファイヤーウォール）も越えられないものであった。
【非特許文献１】ＮＴＴ技術ジャーナル２００３．８「ＰｔｏＰ型高品質ライブ配信技術」
【発明の開示】
【発明が解決しようとする課題】
【０００３】
本発明の目的は、エンドユーザのコンテンツの不正利用の可能性をなくし、ＦＷの内側にユーザがいるか外側にいるかに関係なく安全、かつ効率の良い映像発信、受信を可能とした映像流通ネットワークシステムの端末および映像流通方法を提供することにある。
【課題を解決するための手段】
【０００４】
本発明の映像流通ネットワークシステムの端末は、
複数の放送ランデブー装置とネットワークを介して接続されて映像流通ネットワークシステムを構成、かつ意味情報スイッチにより意味情報ネットワークを構成している端末であって、
Ｐ２Ｐ放送装置とＰ２Ｐ放送ＴＶ装置を含み、
前記Ｐ２Ｐ放送装置は、
ユーザから視聴映像条件である映像情報と映像ファイルからなる映像情報登録設定要求が入力される入出力手段と、
前記入出力手段から、映像ファイルを受け取り格納し、映像ファイル名を含む映像ファイル収集信号を受け取ると、映像ファイル名で指定された格納している映像ファイルとを含む映像ファイル登録信号を出力する映像ファイル格納手段と、
映像情報とイベントＩＤを含む映像情報格納信号を受信すると映像情報とイベントＩＤを格納し、イベントＩＤを含む映像情報収集信号を受け取ると、イベントＩＤで指定された映像情報を含む映像情報収集応答信号を出力する映像情報格納手段と、
前記映像ファイル格納手段から映像ファイル登録信号を受け取ると、固定的、もしくは、なんらかのロジックで放送ランデブー装置を選択し、選択した放送ランデブー装置に映像ファイルを含む映像ファイル登録信号を送り、放送ランデブー装置に映像ファイルの登録を正常に完了したことをもって映像ファイル名と放送ランデブー装置ＵＲＬを含む登録終了信号を出力する放送ランデブー登録手段と、
前記入出力手段から前記映像情報を含む映像情報信号を受けて、意味情報スイッチに該映像情報とイベントＩＤを含むイベント信号を送信し、前記映像情報格納手段に映像情報とイベントＩＤを含む映像情報格納信号を送信し、前記意味情報スイッチから受信した、映像情報とイベントＩＤ含む放送要求センドバック信号を受け、前記映像情報格納手段にイベントＩＤ含む映像情報収集信号を送り、前記映像情報格納手段から返される映像情報とイベントＩＤ含む映像情報収集応答を受け取り、前記映像ファイル格納手段に映像ファイル名を含む映像ファイル収集信号を送り、前記放送ランデブー登録手段から映像ファイル名と放送ランデブー装置ＵＲＬを含む登録終了信号を受けて意味情報スイッチにイベントＩＤと映像情報と放送ランデブー装置ＵＲＬを含む放送開始センドバック信号を意味情報ネットワークのセンドバック機構を用いて返送するイベント受信制御手段とを有し、
前記Ｐ２Ｐ放送ＴＶ装置は、
映像情報を視聴映像条件として設定されると、該映像情報を含む映像情報信号を出力する入出力手段と、
前記入出力手段から映像情報信号を受信すると、映像情報からなるフィルタ設定信号を意味情報スイッチに送信し、該意味情報スイッチからフィルタ番号とイベントＩＤと映像情報を含むイベント通知信号を受け取り、前記意味情報スイッチにイベントＩＤと映像情報含む放送要求センドバック信号を意味情報ネットワークのセンドバック機構を用いて返送し、前記意味情報スイッチからイベントＩＤと映像情報と放送ランデブー装置ＵＲＬ含む放送開始センドバック信号を受け取ると、映像情報と放送ランデブー装置ＵＲＬを含む受信開始通知信号を出力するイベント送信制御手段と、
前記イベント送信制御手段から受信開始通知信号を受け取り、放送ランデブー装置ＵＲＬと映像ファイル名からなる受信開始指示信号を出力する映像受信制御手段と、
前記映像受信制御手段から受信開始指示信号を受け取ると、前記放送ランデブー装置にストリームリクエストを発しストリーム送信を受け取る一般の映像ストリームプレーヤーとを有している。
【０００５】
映像ファイル発信ユーザはファイル転送でランデブー装置に送信し、受信ユーザは発信ユーザと同期をとってストリームでランデブー装置から受信させることによって、映像視聴エンドユーザにファイルがのこらず不正利用の可能性が排除でき、送受信両ユーザからのアクセスとなるため、異なるＦＷの内側にいるユーザ間での映像送受信が可能となる。
【０００６】
本発明の利用例としては以下のケースが考えられる。
●映像流通サービス提供者
映像を視聴するユーザによる不正利用を排除し、ＦＷの内側／外側に関わらず映像交換可能な放送ランデブー装置を運営することにより、映像流通サービス利用者からの利用料金をいただける。
●映像流通サービス利用者
・映像を発信するケース
映像コンテンツを所望の方にタイムリーに、視聴者に不正利用されずに、ＦＷの内側からでも利用してもらいたい。
【０００７】
・映像を視聴するケース
自分のみたい映像をタイムリーに見たい。
●想定するビジネスシーン
特に、映像発信者で発信映像の種類から所望の映像を視聴者に提供できることによる効果的な広告発信、かつ、自端末内の映像データをタイムリーに変更できることからタイムサービスのような刻々と変化する広告発信による効果的な広告効果を提供でき、映像発信者からの支払いを期待できる。
【０００８】
また、映像クリエータの卵たちが自らの映像を発信し、適切なアドバイザからの指導を得る映像コンサルティングモデルや、自作の映像コンテンツを売り込むモデルが可能となり、かつ、映像自身は映像クリエータ自身の端末にのみ存在し、不正利用をされないため安心して利用できるようになる。このような映像クリエータのセミプロ支援ビジネスモデルが本発明により可能となる。
【０００９】
特に、映像を提案型で発信する動作故に以下の効果が期待できる。
●映像視聴者への効果：最新映像情報が取得できる。
例えば、事故・天災・天気などのニュース映像など、視聴者が現地でのリアルタイムな映像を逐次受信したい場合、視聴映像条件を設定しておくことにより、任意の映像発信ユーザから、刻々と変わる最新映像が次々とリアルタイムに自動的に視聴することができる。
●映像発信者への効果：映像登録時に利用ニーズが把握できる。
例えば、即効性のある集客をねらったタイムサービス広告映像などを発信する場合、どれだけの効果があるか、来客が見込めるか、映像発信時点での視聴してくれたユーザ情報から類推しセールスに活用することができる。
【発明の効果】
【００１０】
本発明によれば、コンテンツの配信ビジネスが個人でも開始できるほど容易であり、サーバコストが不要なのでローコストである。また、コンテンツのエンドユーザへの配信はストリームによるもので、エンドユーザ端末にコンテンツを配置しないためエンドユーザの不正利用の可能性を少なくできる。ファイヤーウォールの内側にあるコンテンツフォルダユーザから別ファイヤーウォール内にいる視聴ユーザに対しても、配信を可能とするものである。
【発明を実施するための最良の形態】
【００１１】
次に、本発明の実施の形態について図面を参照して説明する。
【００１２】
図１は本発明の一実施形態による映像流通ネットワークシステムの構成を示すブロック図である。
【００１３】
本映像流通ネットワークシステムは複数の放送ランデブー装置１1〜１mと、複数のピア２1〜２nと、これらを互に接続するネットワーク３で構成されている。各ピア２1〜２nはＰ２Ｐ放送装置４とＰ２Ｐ放送ＴＶ装置５と意味情報スイッチ６で構成されている。
【００１４】
放送ランデブー装置１1〜１mは、図２に示すように、映像ファイルが格納される一般の映像ファイルストレージ１１と、ピアからのストリームリクエストを受けて、映像ファイルストレージ１に格納された映像ストリームをピアに配信するストリームサーバ１２からなる。
【００１５】
Ｐ２Ｐ放送装置４は、図３に示すように、入出力部４１とイベント受信制御部４２と映像ファイル格納部４３と映像情報格納部４４と放送ランデブー登録部４５からなる。
【００１６】
入出力部４１は、ユーザから映像視聴条件である映像情報と映像ファイルからなる映像情報設定登録を入力され、映像ファイル格納部４３に映像ファイルを格納し、イベント受信制御部４２に映像情報からなる映像情報信号を出力する。イベント受信制御部４２は、入出力部４１から映像情報信号を受けて、意味情報スイッチ６に映像情報とイベントＩＤからなるイベント信号を送信し、映像情報格納部４４に映像情報とイベントＩＤからなる映像情報格納信号を出力し、意味情報スイッチ６から受信した、映像情報とイベントＩＤからなる放送要求センドバック信号を受け、映像情報格納部４４にイベントＩＤからなる映像情報収集信号を送り、映像情報格納部４４から返された映像情報とイベントＩＤからなる映像情報収集応答を受け取り、映像ファイル格納部４３に映像ファイル名からなる映像ファイル収集信号を送り、放送ランデブー登録部４５から映像ファイル名と放送ランデブー装置ＵＲＬを含む登録終了信号をうけて意味情報スイッチ６にイベントＩＤと映像情報と放送ランデブー装置ＵＲＬからなる放送開始センドバック信号を意味情報ネットワークのセンドバック機構を用いて返送する。映像ファイル格納部４３は入出力部４１から映像ファイルを受け取り、格納し、イベント受信制御部４２から映像ファイル名を含む映像ファイル収集信号を受け取ると、映像ファイル名で指定された格納している映像ファイルと映像ファイル名からなる映像ファイル登録信号を放送ランデブー登録部４５に送信する。映像情報格納部４４はイベント受信制御部４２から、映像情報とイベントＩＤを含む映像情報格納信号を受信すると、映像情報とイベントＩＤを格納し、イベント受信制御部４２からイベントＩＤを含む映像情報収集信号を受け取ると、イベントＩＤで指定された映像情報とイベントＩＤを含む映像情報収集応答信号をイベント受信制御部４２に送る。放送ランデブー登録部４５は映像ファイル格納部４３から映像ファイル登録信号を受け取ると、固定的、もしくは、なんらかのロジックで放送ランデブー装置１を選択し、選択した放送ランデブー装置１に映像ファイルを含む映像ファイル登録信号を送り、放送ランデブー装置１に映像ファイルの登録を正常に完了したことをもって映像ファイル名と放送ランデブー装置ＵＲＬを含む登録終了信号をイベント受信制御部４２に送る。
【００１７】
Ｐ２Ｐ放送ＴＶ装置５は、図４に示すように、入出力部５１とイベント送信制御部５２と映像受信制御部５３と映像ストリームプレーヤー５４からなる。
【００１８】
入出力部５１は、映像情報を視聴映像条件として設定されると、該映像情報を含む映像情報信号をイベント送信制御部５２に送る。イベント送信制御部５２は入出力部５１から映像情報信号を受信すると、映像情報からなるフィルタ設定信号を意味情報スイッチ６に送信し、意味情報スイッチ６からフィルタ番号とイベントＩＤと映像情報からなるイベント通知信号を受け取り、意味情報スイッチ６にイベントＩＤと映像情報からなる放送要求センドバック信号を意味情報ネットワークのセンドバック機構を用いて返送し、意味情報スイッチ６からイベントＩＤと映像情報と放送ランデブー装置ＵＲＬからなる放送開始センドバック信号を受け取ると、映像受信制御部５３に映像情報と放送ランデブー装置ＵＲＬを含む受信開始通知信号を送る。映像受信制御部５３は、イベント送信制御部５２から受信開始通知信号を受け取り、一般の映像ストリームプレーヤー５４に放送ランデブー装置ＵＲＬと映像ファイル名からなる受信開始指示信号を送信する。映像ストリームプレーヤー５４は、映像受信制御部５３から受信開始指示信号を受け取ると、放送ランデブー装置１にストリームリクエストを発しストリーム送信を受け取る。
【００１９】
図１０に、本実施形態において、映像視聴ユーザが所望の映像を登録する映像リクエスト登録フェーズと、映像コンテンツ配信ユーザが映像ファイルを発信し、映像視聴ユーザが映像を映像コンテンツ配信ユーザから受信するＰ２Ｐ映像ＴＶ視聴フェーズの二つにわけて、各装置間の処理の流れをシーケンスで示す。また、各装置内の詳細な動作として、映像リクエスト登録フェーズにおけるＰ２Ｐ放送ＴＶ装置５の動作概要を図１１に示す。Ｐ２Ｐ映像ＴＶ視聴フェーズにおける、Ｐ２Ｐ放送装置４の動作概要を図１３に、Ｐ２Ｐ放送ＴＶ装置５の動作概要を図１４に示す。
【００２０】
次に、本実施形態の動作をこれらの図を参照して説明する。
【００２１】
映像リクエスト登録フェーズ（図１０、図１１）では、ピア２nにおいて、映像視聴ユーザが図１２に示す視聴映像条件設定画面を用いてユーザより登録される「撮影者名」、「撮影日時」、「撮影場所」、および、各種「映像プロファイル」からなる映像情報をＰ２Ｐ放送ＴＶ装置５の入出力部５１に入力する（ステップ１０１）。入出力部５１では、映像情報を映像情報信号にのせてイベント送信制御部５２に送信する。映像情報信号は図５に示す構成で、ユーザより入力された「撮影者名」、「撮影日時」、「撮影場所」、および各種「映像プロファイル」より構成されている。ユーザから入力された情報は有効情報として設定され、設定されなかった情報は、無効情報として“＊”が設定されている。イベント送信制御部５２は、その映像情報をフィルタ設定信号により意味情報スイッチ６に意味情報ネットワークの“フィルタ”として設定する（ステップ１０２）。意味情報スイッチ６に設定されたフィルタ情報は意味情報ネットワークにより意味情報によるルーチングテーブルが構成される。
【００２２】
Ｐ２Ｐ映像ＴＶ視聴フェーズ（図１０、図１３、図１４）では、映像リクエスト登録フェーズにてピア２nからあらかじめ設定されていた所望の映像条件に合致する映像の発信イベント信号がピア２1から発せられたとする。ピア２1において、映像視聴ユーザが図１５に示す映像情報登録画面を用いてＰ２Ｐ放送装置４の入出力部４１に「撮影者名」、「撮影日時」、「撮影場所」、および各種「映像プロファイル」からなる映像情報と映像ファイルが入力される（ステップ２０１）。入出力部４１では、そのうち映像ファイルを映像ファイル格納部４３に格納し、映像情報を映像情報信号にのせてイベント受信制御部４２に送信する。映像情報信号は図５に示す構成で、ユーザより入力された「撮影者名」、「撮影日時」、「撮影場所」、および各種「映像プロファイル」より構成されている。ユーザから入力された情報は有効情報として設定され、設定されなかった情報は、無効情報として“＊”が設定されている。イベント受信制御部４２は、意味情報スイッチ６に該映像情報とイベントＩＤからなるイベント信号を送信する（ステップ２０２）。イベント受信制御部４２は、対応する映像情報とイベントＩＤの対を映像情報格納部４４へ格納する。
【００２３】
ピア２1から発せられたイベント信号が意味情報ネットワークを介してピア２nに到着する。意味情報スイッチ６より、映像情報、フィルタ番号、イベントＩＤからなるイベント通知信号をＰ２Ｐ放送ＴＶ装置５のイベント送信制御部５２が受信すると（ステップ２０３）、イベント送信制御部５２は、図８に示すイベントＩＤと映像情報からなる放送要求センドバック信号を意味情報スイッチ６に送信する（ステップ２０４）。放送要求センドバック信号は意味情報ネットワークのセンドバック機構を用いてイベント送信元のピア２1に到着する（ステップ２０５）。
【００２４】
ピア２1の意味情報スイッチ６がＰ２Ｐ放送装置４のイベント受信制御部４２にイベントＩＤと映像情報からなる放送要求センドバック信号を通知すると、イベント受信制御部４２は、そのイベントＩＤをキーに、映像情報収集信号により映像情報格納部４４から要望された映像の映像情報を入手する。映像情報収集応答で入手した映像情報の中の映像ファイル名を元に映像ファイル格納部４３に映像ファイル収集信号を発信すると、映像ファイル格納部４３では放送ランデブー登録部４５を介して保存している当該映像ファイルを含む映像ファイル登録信号を放送ランデブー装置１に送信する（ステップ２０６）。放送ランデブー登録部４５は、放送ランデブー装置１への送信正常完了を確認すると、イベント受信制御部４２にその旨を映像ファイル名と放送ランデブー装置ＵＲＬを含む登録終了信号により通知する。イベント受信制御部４２は、それをもって、意味情報ネットワークのセンドバック機構を利用して、イベントＩＤをキーにイベント送信元ピア２nに図９の放送開始センドバック信号をもって放送開始を通知する（ステップ２０７）。
【００２５】
意味情報ネットワークのセンドバック機構を用いてピア２1から放送開始センドバック信号を受信した（ステップ２０８）ピア２nのＰ２Ｐ放送ＴＶ装置５のイベント送信制御部５２は、受信した映像情報と放送ランデブー装置ＵＲＬを受信開始通知信号で映像受信制御部５３に送り、映像受信制御部５３は受信した放送ランデブー装置ＵＲＬと映像情報にある映像ファイル名を含む受信開始指示信号を映像ストリームプレーヤー５４に出力し、放送ランデブー装置１にストリームリクエストを発し、放送ランデブー装置１からのストリーム配信を受信視聴する（ステップ２０９，２１０）。
【図面の簡単な説明】
【００２６】
【図１】本発明の一実施形態の映像流通ネットワークシステムの構成図である。
【図２】放送ランデブー装置の構成図である。
【図３】Ｐ２Ｐ放送装置の構成図である。
【図４】Ｐ２Ｐ放送ＴＶ装置の構成図である。
【図５】映像情報信号の構成を示す図である。
【図６】フィルタ設定信号の構成を示す図である。
【図７】イベント信号の構成を示す図である。
【図８】放送要求センドバック信号の構成を示す図である。
【図９】放送開始センドバック信号の構成を示す図である。
【図１０】図１の映像流通ネットワークシステムの映像流通シーケンスを示す図である。
【図１１】映像リクエスト登録フェーズにおけるＰ２Ｐ放送ＴＶ装置の動作概要を示す図である。
【図１２】視聴映像条件設定画面を示す図である。
【図１３】Ｐ２Ｐ映像ＴＶ視聴フェーズにおけるＰ２Ｐ放送装置の動作概要を示す図である。
【図１４】Ｐ２Ｐ映像ＴＶ視聴フェーズにおけるＰ２Ｐ放送ＴＶ装置の動作概要を示す図である。
【図１５】映像情報登録画面を示す図である。
【符号の説明】
【００２７】
１1〜１m    放送ランデブー装置
２1〜２n    ピア
３    ネットワーク
４    Ｐ２Ｐ放送装置
５    Ｐ２Ｐ放送ＴＶ装置
６    意味情報スイッチ
１１    映像ファイルストレージ
１２    ストリームサーバ
４１    入出力部
４２    イベント受信制御部
４３    映像ファイル格納部
４４    映像情報格納部
４５    放送ランデブー登録部
５１    入出力部
５２    イベント送信制御部
５３    映像受信制御部
５４    映像ストリームプレーヤー
１０１〜１０２，２０１〜２１０    ステップ
【図１】
2005151229.tif 000003
【図２】
2005151229.tif 000004
【図３】
2005151229.tif 000005
【図４】
2005151229.tif 000006
【図５】
2005151229.tif 000007
【図６】
2005151229.tif 000008
【図７】
2005151229.tif 000009
【図８】
2005151229.tif 000010
【図９】
2005151229.tif 000011
【図１０】
2005151229.tif 000012
【図１１】
2005151229.tif 000013
【図１２】
2005151229.tif 000014
【図１３】
2005151229.tif 000015
【図１４】
2005151229.tif 000016
【図１５】
2005151229.tif 000017